(57)【要約】【課題】  主情報の画質が低下することを抑制できる情報記録媒体を提供する。【解決手段】  一つの実施の形態に係る情報記録媒体は、基材と、主情報と、第１の副情報と、を備える。前記基材は印刷面を有する。前記主情報は、前記印刷面の上に設けられ、少なくとも一色のインクによって形成される。前記第１の副情報は、前記インクを透過する励起光を吸収して励起することで可視蛍光を発する第１の蛍光材料によって形成されるとともに、前記可視蛍光が透過する色の前記インクと前記基材の前記印刷面との間に少なくとも一部が介在する。【選択図】図７
2015050605.tif 000002
【特許請求の範囲】
【請求項１】
印刷面を有する基材と、
前記印刷面の上に設けられ、少なくとも一色のインクによって形成される主情報と、
前記インクを透過する励起光を吸収して励起することで可視蛍光を発する第１の蛍光材料によって形成されるとともに、前記可視蛍光が透過する色の前記インクと前記基材の前記印刷面との間に少なくとも一部が介在する第１の副情報と、
を具備する情報記録媒体。
【請求項２】
前記励起光を吸収して励起することで不可視蛍光を発する第２の蛍光材料によって形成されるとともに、前記不可視蛍光が透過する前記インクと前記基材の前記印刷面との間に少なくとも一部が介在する第２の副情報、をさらに具備する請求項１の情報記録媒体。
【請求項３】
前記第１の副情報と前記第２の副情報とは、組み合わされることで第１及び第２の副情報と異なる合成情報を示す、請求項２の情報記録媒体。
【請求項４】
印刷面を有する基材と、
前記印刷面の上に設けられ、少なくとも一色のインクによって形成された主情報と、
前記インクを透過する励起光を吸収して励起することで可視蛍光を発する第１の蛍光材料によって形成されるとともに、前記可視蛍光が透過する色の前記インクと前記基材の前記印刷面との間に少なくとも一部が介在する第１の副情報と、
前記励起光を吸収して励起することで不可視蛍光を発する第２の蛍光材料によって形成されるとともに、前記不可視蛍光が透過する色の前記インクと前記基材の前記印刷面との間に少なくとも一部が介在する第２の副情報と、
を有する情報記録媒体から前記第１及び第２の副情報を読み取る画像処理装置であって、
前記印刷面に向かって前記励起光を発する投光部と、
前記可視蛍光を受ける第１の受光部と、
前記不可視蛍光を受ける第２の受光部と、
前記第１及び第２の受光部に接続され、前記第１の受光部が受けた前記可視蛍光から前記第１の副情報を読み取り、前記第２の受光部が受けた前記不可視蛍光から前記第２の副情報を読み取り、前記第１の副情報と前記第２の副情報とを組み合わせて合成情報を作る処理部と、
真の情報を記憶する記憶部と、
前記処理部と前記記憶部とに接続され、前記処理部から得た前記合成情報と、前記記憶部から得た前記真の情報と、を比較することで前記情報記録媒体の真偽を判定する判定部と、
を具備する画像処理装置。
【請求項５】
印刷面を有する基材と、
前記印刷面の上に設けられ、少なくとも一色のインクによって形成された主情報と、
前記インクを透過する励起光を吸収して励起することで可視蛍光を発する第１の蛍光材料によって形成されるとともに、前記可視蛍光が透過する色の前記インクと前記基材の前記印刷面との間に少なくとも一部が介在する第１の副情報と、
前記励起光を吸収して励起することで不可視蛍光を発する第２の蛍光材料によって形成されるとともに、前記不可視蛍光が透過する色の前記インクと前記基材の前記印刷面との間に少なくとも一部が介在する第２の副情報と、
を有する情報記録媒体の真偽判定方法であって、
前記印刷面に向かって前記励起光を当て、
前記可視蛍光から前記第１の副情報を読み取り、
前記不可視蛍光から前記第２の副情報を読み取り、
前記第１の副情報と前記第２の副情報とを組み合わせて合成情報を作り、
前記合成情報と真の情報とを比較することで前記情報記録媒体の真偽を判定する、情報記録媒体の真偽判定方法。
【発明の詳細な説明】
【技術分野】
【０００１】
本発明の実施形態は、情報記録媒体、画像処理装置及び情報記録媒体の真偽判定方法に関する。
【背景技術】
【０００２】
ＩＤカードのような種々の情報記録媒体は、例えば、偽造品を製造されたり、写真や氏名のような情報を書き換える変造がされたりするおそれがある。このような偽変造を防止するため、情報記録媒体に、写真や氏名のような主情報とは異なる、副情報が印刷されることがある。副情報は、例えば、主情報である写真に、肉眼では視認できないように埋め込まれる。
【先行技術文献】
【特許文献】
【０００３】
【特許文献１】特開２００５−１５９４３８号公報
【発明の概要】
【発明が解決しようとする課題】
【０００４】
情報記録媒体に副情報を印刷すると、主情報の画質が低下するおそれがある。
【０００５】
本発明が解決する課題の一つは、主情報の画質が低下することを抑制できる情報記録媒体と、当該情報記録媒体の真偽を判定できる画像処理装置及び情報記録媒体の真偽判定方法と、を提供することである。
【課題を解決するための手段】
【０００６】
一つの実施の形態に係る情報記録媒体は、基材と、主情報と、第１の副情報と、を備える。前記基材は印刷面を有する。前記主情報は、前記印刷面の上に設けられ、少なくとも一色のインクによって形成される。前記第１の副情報は、前記インクを透過する励起光を吸収して励起することで可視蛍光を発する第１の蛍光材料によって形成されるとともに、前記可視蛍光が透過する色の前記インクと前記基材の前記印刷面との間に少なくとも一部が介在する。
【図面の簡単な説明】
【０００７】
【図１】図１は、第１の実施の形態に係るＩＤカードを示す平面図である。
【図２】図２は、第１の実施形態のＩＤカードの一部を示す断面図である。
【図３】図３は、第１の実施形態のＩＤカードの他の一部を示す断面図である。
【図４】図４は、インクの透過率特性と蛍光発光及び励起光の分光特性とを示すグラフである。
【図５】図５は、第１の実施形態の写真及び第１の蛍光材料を示す平面図である。
【図６】図６は、第１の実施形態の写真及び第２の蛍光材料を示す平面図である。
【図７】図７は、第１の実施形態の画像処理装置を示す図である。
【図８】図８は、第１の実施形態の画像処理を示すフローチャートである。
【図９】図９は、第１の実施形態の合成情報及び真の情報を示す図である。
【図１０】図１０は、第２の実施の形態に係るＩＤカード及び画像処理装置を示す図である。
【図１１】図１１は、第３の実施の形態に係るＩＤカード及び画像処理装置を示す図である。
【発明を実施するための形態】
【０００８】
以下に、第１の実施の形態について、図１乃至図９を参照して説明する。なお、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、第１の実施の形態に係るＩＤカード１０を示す平面図である。ＩＤカード１０は、情報記録媒体の一例であり、例えばカード、偽変造防止媒体、印刷媒体、印刷物又は情報表示物のようにも称され得る。なお、情報記録媒体はＩＤカード１０に限らず、パスポート、運転免許証、入館証、紙幣、有価証券、タグ、コンパクトディスク（ＣＤ）又はデジタルヴァーサタイルディスク（ＤＶＤ）のような種々の媒体であっても良い。
【００１０】
図１に示すように、ＩＤカード１０は、カード状の基材１１を有している。基材１１は、例えば合成樹脂又は紙によって形成され、平坦な印刷面１２を有する。印刷面１２に、諸情報１３と、写真１４とが印刷される。写真１４は、主情報の一例であり、第１の情報、被覆層、隠蔽層又は絵柄印刷層のようにも称され得る。なお、主情報は写真１４に限らず、ホログラム、文字、図形、模様又は色彩のような他の情報であっても良い。
【００１１】
諸情報１３は、氏名等のＩＤカード１０を所有する人物の個人情報や、発行年月日等のＩＤカード１０の固有の情報を示す文字である。写真１４は、ＩＤカード１０を所有する人物の写真である。
【００１２】
図２は、ＩＤカード１０の一部を示す断面図である。図３は、ＩＤカード１０の他の一部を示す断面図である。図２及び図３は、写真１４を形成する一つのドット（点）をそれぞれ示す。図２及び図３に示されるような複数のドットの集合体が写真１４を形成する。なお、写真１４は、図２及び図３にそれぞれ示されるドット以外のドットを含んでも良い。
【００１３】
図２及び図３に示すように、写真１４は、カラー印刷を実現できるシアンインク２１と、マゼンタインク２２と、イエローインク２３と、によって形成される。シアンインク２１、マゼンタインク２２、及びイエローインク２３は、少なくとも一色のインクの一例である。シアン（Ｃ）は、第１の色と称され得る。マゼンタ（Ｍ）は、第２の色と称され得る。イエロー（Ｙ）は、第３の色と称され得る。なお、第１乃至第３の色はこれに限らない。また、写真１４は、黒色（Ｋ）のインクを含んでも良い。
【００１４】
写真１４は、単色刷り又は二色刷りであっても良い。すなわち、写真１４は、シアンインク２１、マゼンタインク２２、及びイエローインク２３のうち一種類又は二種類のインクによって形成されても良い。なお、インクは、シアンインク２１、マゼンタインク２２、及びイエローインク２３に限らない。
【００１５】
シアンインク２１、マゼンタインク２２及びイエローインク２３は、例えばインクジェットプリンタのような印刷装置によって印刷面１２に塗布され、図２及び図３に示されるような複数のドットを形成する。インクジェットプリンタは、シアンインク２１、マゼンタインク２２及びイエローインク２３を、順番に塗布する。
【００１６】
シアンインク２１、マゼンタインク２２及びイエローインク２３は、印刷面１２に重ねて印刷されることで、種々の色を示す。例えば、図２に示すように、シアンインク２１及びイエローインク２３が均等に重ねて印刷されたドットは、緑色を示す。一方、図３に示すように、シアンインク２１、マゼンタインク２２及びイエローインク２３が均等に重ねて印刷されたドットは、黒色又は灰色を示す。シアンインク２１、マゼンタインク２２及びイエローインク２３が存在しないドットは、白色を示す。なお、シアンインク２１、マゼンタインク２２及びイエローインク２３は、重ねられずに、並べられて種々の色を示しても良い。
【００１７】
各ドットが示す色によって、当該ドットにおけるシアンインク２１、マゼンタインク２２及びイエローインク２３の量（厚さ）は異なる。前記インクジェットプリンタは、例えば、同量のインク滴を同一地点に複数回吐出することで、シアンインク２１、マゼンタインク２２及びイエローインク２３の厚さを変える。
【００１８】
図２に示すように、シアンインク２１及びイエローインク２３と、印刷面１２との間に、第１の蛍光材料２５が介在する。言い換えると、第１の蛍光材料２５を、シアンインク２１及びイエローインク２３が覆う。第１の蛍光材料２５は、透明又は半透明の物質である。なお、第１の蛍光材料２５は、有色の物質でも良い。
【００１９】
図３に示すように、シアンインク２１、マゼンタインク２２及びイエローインク２３と、印刷面１２との間に、第２の蛍光材料２６が介在する。言い換えると、第２の蛍光材料２６を、シアンインク２１、マゼンタインク２２及びイエローインク２３が覆う。第２の蛍光材料２６は、透明又は半透明の物質である。なお、第２の蛍光材料２６は、有色の物質でも良い。
【００２０】
図２及び図３に示すように、第１及び第２の蛍光材料２５，２６は、励起光Ｌ１を当てられると、励起光Ｌ１を吸収して励起する。励起した第１及び第２の蛍光材料２５，２６は、蛍光発光する。励起光Ｌ１は、波長が９５０〜１０００ｎｍの近赤外光である。なお、励起光Ｌ１は、他の波長の近赤外光、赤外光、紫外光又は可視光のような他の電磁波であっても良い。
【００２１】
図４は、シアンインク２１、マゼンタインク２２及びイエローインク２３の透過率特性と、第１及び第２の蛍光材料２５，２６の励起発光特性と、励起光Ｌ１の分光特性と、を示すグラフである。図４は、シアンインク２１、マゼンタインク２２及びイエローインク２３の透過率特性を、それぞれ一点鎖線、二点鎖線及び一点二短鎖線で示す。また、図４は、第１及び第２の蛍光材料２５，２６の励起発光特性を実線及び点線で示すとともに、励起光Ｌ１の分光特性を破線で示す。
【００２２】
図４に示すように、シアンインク２１、マゼンタインク２２及びイエローインク２３は、波長が９５０〜１０００ｎｍの帯域において、透過率が高い。このため、励起光Ｌ１は、シアンインク２１、マゼンタインク２２及びイエローインク２３を透過して、第１及び第２の蛍光材料２５，２６に入射する。
【００２３】
図２に示すように、励起光Ｌ１を受けて励起した第１の蛍光材料２５は、可視光である緑色光Ｌ２を発する。緑色光Ｌ２は、可視蛍光の一例である。緑色は、可視領域にあり、第４の色とも称され得る。
【００２４】
図４に示すように、緑色光Ｌ２は、５００〜６００ｎｍの可視波長帯域の光である。波長が５００〜６００ｎｍの帯域において、シアンインク２１及びイエローインク２３の透過率は高い。一方、当該帯域において、マゼンタインク２２の透過率は低い。このため、緑色光Ｌ２は、シアンインク２１及びイエローインク２３を透過するが、マゼンタインク２２に吸収される。すなわち、第４の色である緑色は、第２の色であるマゼンタと補色関係にある。
【００２５】
図２に示すように、シアンインク２１及びイエローインク２３が第１の蛍光材料２５の上に印刷される。一方、マゼンタインク２２は、第１の蛍光材料２５の上に存在しない。このため、第１の蛍光材料２５が発した緑色光Ｌ２は、シアンインク２１及びイエローインク２３を透過して外部に出る。このように、第１の蛍光材料２５は、緑色光Ｌ２が透過する色のインク（シアンインク２１及びイエローインク２３）と印刷面１２との間に介在する。言い換えると、第１の蛍光材料２５は、第１の蛍光材料２５が発する緑色光Ｌ２と補色関係にない単色又は混色のインクによって覆われる。このような第１の蛍光材料２５が発した緑色光Ｌ２は、外部から視認され得る。
【００２６】
シアンインク２１のみ、又はイエローインク２３のみが、第１の蛍光材料２５の上に印刷されても良い。さらに、第１の蛍光材料２５の上にシアンインク２１及びイエローインク２３が存在しない領域があっても良い。すなわち、白色を示すドットに第１の蛍光材料２５が存在しても良い。
【００２７】
図３に示すように、励起光Ｌ１を受けて励起した第２の蛍光材料２６は、不可視光である近赤外光Ｌ３を発する。近赤外光Ｌ３は、不可視蛍光の一例である。なお、第２の蛍光材料２６は、赤外光又は紫外光のような他の電磁波を発しても良い。
【００２８】
図４に示すように、近赤外光Ｌ３は、１３００〜１５００ｎｍの近赤外帯域の光である。近赤外光Ｌ３の波長は、励起光Ｌ１の波長よりも長い。波長が１３００〜１５００ｎｍの帯域において、シアンインク２１、マゼンタインク２２及びイエローインク２３の透過率は高い。このため、近赤外光Ｌ３は、シアンインク２１、マゼンタインク２２及びイエローインク２３を透過する。
【００２９】
図３に示すように、シアンインク２１、マゼンタインク２２及びイエローインク２３が第２の蛍光材料２６の上に印刷される。このため、第２の蛍光材料２６が発した近赤外光Ｌ３は、シアンインク２１、マゼンタインク２２及びイエローインク２３を透過して外部に出る。このように、第２の蛍光材料２６は、近赤外光Ｌ３が透過する色のインク（シアンインク２１、マゼンタインク２２及びイエローインク２３）と印刷面１２との間に介在する。このような第２の蛍光材料２６が発した近赤外光Ｌ３は、例えば近赤外光を検知可能なセンサによって、外部から検知され得る。
【００３０】
シアンインク２１、マゼンタインク２２及びイエローインク２３のうち、一種類又は二種類のインクが、第２の蛍光材料２６の上に印刷されても良い。さらに、第２の蛍光材料２６の上にシアンインク２１、マゼンタインク２２及びイエローインク２３が存在しない領域があっても良い。すなわち、白色を示すドットに第２の蛍光材料２６が存在しても良い。
【００３１】
第１の蛍光材料２５は、上述のものに限らない。例えば、第１の蛍光材料２５は、青色に蛍光発光しても良いし、赤色に蛍光発光しても良い。青色に蛍光発光する第１の蛍光材料２５は、青色と補色関係にないシアン、マゼンタ、又はそれらの混色のインク（シアンインク２１、マゼンタインク２２）に覆われる。赤色に蛍光発光する第２の蛍光材料２６は、赤色と補色関係にないマゼンタ、イエロー、又はそれらの混色のインク（マゼンタインク２２、イエローインク２３）に覆われる。
【００３２】
緑色に蛍光発光する第１の蛍光材料２５は、例えば、Ｍｏｌｅｃｕｌａｒ  Ｔｅｃｈｎｏｌｏｇｙ  ＧｍｂＨ社のＦＳＤ−５４６である。青色に蛍光発光する第１の蛍光材料２５は、例えば、同社のＦＳＤ４７５である。赤色に蛍光発光する第１の蛍光材料２５は、例えば、同社のＦＳＤ−６６０である。第２の蛍光材料２６は、例えば、同社のＩＭ−１５００である。
【００３３】
図５は、写真１４及び第１の蛍光材料２５を示す平面図である。図５において、写真１４の絵柄は二点鎖線によって示される。なお、図５におけるハッチングは、物体の断面ではなく、第１の蛍光材料２５が存在する領域を示す。
【００３４】
図５に示すように、印刷面１２に印刷された第１の蛍光材料２５が形成する複数のドットが、第１の副情報３１を形成する。第１の副情報３１は、第２の情報又は埋め込み層のようにも称され得る。第１の副情報３１は、複数の四角形が並んだ図形である。第１の副情報３１は、単独では意味を成さない情報を示す。
【００３５】
第１の蛍光材料２５は、シアンインク２１及びイエローインク２３の下に印刷される。言い換えると、第１の副情報３１は、写真１４に埋め込まれる。このため、第１の副情報３１は、写真１４の下に隠れており、例えば自然光の下では肉眼で視認されない。
【００３６】
図６は、写真１４及び第２の蛍光材料２６を示す平面図である。図６において、写真１４の絵柄は二点鎖線によって示される。なお、図６におけるハッチングは、物体の断面ではなく、第２の蛍光材料２６が存在する領域を示す。
【００３７】
図６に示すように、印刷面１２に印刷された第２の蛍光材料２６が形成する複数のドットが、第２の副情報３２を形成する。第２の副情報３２は、第３の情報又は埋め込み層のようにも称され得る。第２の副情報３２は、複数の四角形が並んだ図形である。第２の副情報３２は、単独では意味をなさない情報を示す。
【００３８】
第２の蛍光材料２６は、シアンインク２１、マゼンタインク２２及びイエローインク２３の下に印刷される。言い換えると、第２の副情報３２は、写真１４に埋め込まれる。このため、第２の副情報３２は、写真１４の下に隠れており、例えば自然光の下では肉眼で視認されない。
【００３９】
上述のようなＩＤカード１０は、例えば、以下のように作られる。なお、ＩＤカード１０の製造方法は、以下の方法に限られない。
【００４０】
まず、写真１４のデータの入力処理が行われる。例えば、ＩＤカード１０の持ち主の顔がデジタルカメラで撮影され、顔写真のデジタルデータである第１のデータが得られる。当該第１のデータは、Ｒ（レッド）、Ｇ（グリーン）及びＢ（ブルー）成分で構成される。
【００４１】
次に、前記第１のデータが、Ｃ（シアン）、Ｍ（マゼンタ）及びＹ（イエロー）成分からなる第２のデータに変換される。当該第２のデータは、複数のドットによって構成される。
【００４２】
次に、前記第２のデータが、Ｍ（マゼンタ）成分を含む領域と、Ｍ（マゼンタ）成分を含まない領域とに分けられる。なお、第１の蛍光材料２５が蛍光発光する光の波長によって、Ｃ（シアン）又はＹ（イエロー）成分を含む領域が選別されても良い。
【００４３】
次に、第１の副情報３１の印刷情報が作成される。すなわち、写真１４に埋め込まれる第１の副情報３１の形状が決定される。例えば、所定の形状のマークと前記Ｍ（マゼンタ）成分を含まない領域とが重ね合わされ、それらが重複する部分が第１の副情報３１の形状となる。なお、これに限らず、例えば、用意された複数種類のマークから、前記Ｍ（マゼンタ）成分を含まない領域に収まるマークが選択されても良い。
【００４４】
次に、第２の副情報３２の印刷情報が作成される。すなわち、写真１４に埋め込まれる第２の副情報３２の形状が決定される。例えば、前記マークと前記Ｍ（マゼンタ）成分を含む領域とが重ね合わされ、重複する部分が第２の副情報３２の形状となる。すなわち、重ね合わされた第１の副情報３１と第２の副情報３２とは、前記マークを形成する。
【００４５】
このように、第１の副情報３１は、第１の蛍光材料２５が発する緑色光Ｌ２と補色関係にあるＭ（マゼンタ）成分を避けて配置される。一方で、第２の副情報３２は、第１の副情報３１が避けたＭ（マゼンタ）成分を含む領域に配置され得る。言い換えると、第２の副情報３２は、第１の副情報３１を形成できない場所に形成できる。
【００４６】
次に、第１の副情報３１の印刷情報に基づき、第１の蛍光材料２５で、印刷面１２に第１の副情報３１が印刷される。さらに、第２の副情報３２の印刷情報に基づき、第２の蛍光材料２６で、印刷面１２に第２の副情報３２が印刷される。
【００４７】
次に、前記第２のデータに基づき、第１及び第２の副情報３１，３２の上から、シアンインク２１、マゼンタインク２２及びイエローインク２３で、写真１４が印刷される。第１の蛍光材料２５の上には、マゼンタインク２２は印刷されない。
【００４８】
最後に、印刷面１２に諸情報１３が印刷されることで、ＩＤカード１０が作られる。なお、基材１１にＩＣインレットが埋め込まれたり、諸情報１３及び写真１４の上に透明な保護層が塗布されたりしても良い。
【００４９】
なお、写真１４が黒色（Ｋ）インクを含む場合、第１の副情報３１及び第２の副情報３２は、黒色インクを含むドットを避けて配置される。言い換えると、第１及び第２の副情報３１，３２は、黒色インクに覆われる領域から外れて設けられる。なお、黒色インクが励起光Ｌ１、緑色光Ｌ２、及び近赤外光Ｌ３を透過する場合、当該黒色インクが第１及び第２の副情報３１，３２を覆っても良い。
【００５０】
図７は、ＩＤカード１０の真偽を判定する画像処理装置４０を概略的に示す図である。図７に示すように、画像処理装置４０は、投光部４１と、第１の受光部４２と、第２の受光部４３と、処理部４４と、記憶部４５と、判定部４６と、表示部４７とを有する。例えば、ＣＰＵ、メモリ、ＨＤＤ及び光学ディスクドライブのような種々の要素が、単独で又は協働して、処理部４４、記憶部４５及び判定部４６として機能する。すなわち、画像処理装置４０の一部が、例えばパーソナルコンピュータであっても良い。
【００５１】
図８は、ＩＤカード１０の真偽を判定する画像処理の一例を示すフローチャートである。以下、図７及び図８を参照して、画像処理装置４０の構成及び動作について説明する。なお、画像処理装置４０の動作は、以下の説明に限られない。
【００５２】
投光部４１は、例えばＬＥＤライトであり、照射部、光源又は励起部とも称され得る。なお、投光部４１は他の器具であっても良い。図７に示すように、投光部４１は、所定の位置に配置されたＩＤカード１０の印刷面１２に向かって、励起光Ｌ１を照射する（ステップＳ１０）。なお、投光部４１は、励起光Ｌ１のみならず、可視光を発しても良い。
【００５３】
投光部４１が発した励起光Ｌ１は、シアンインク２１、マゼンタインク２２及びイエローインク２３を透過し、第１及び第２の蛍光材料２５，２６に入射する。これにより、第１及び第２の蛍光材料２５，２６は励起し、緑色光Ｌ２及び近赤外光Ｌ３をそれぞれ発する。緑色光Ｌ２は、シアンインク２１及びイエローインク２３を透過して外部に出る。近赤外光Ｌ３は、シアンインク２１、マゼンタインク２２及びイエローインク２３を透過して外に出る。
【００５４】
第１の受光部４２は、第１のバンドパスフィルタ５１と、第１のレンズ５２と、第１のセンサ５３とを有する。第１のバンドパスフィルタ５１は、第１のフィルタの一例である。
【００５５】
第１のバンドパスフィルタ５１は、第１の蛍光材料２５の発光特性に合致した特性を有し、緑色光Ｌ２のみを透過させる。言い換えると、第１のバンドパスフィルタ５１は、波長が５００〜６００ｎｍの帯域の光のみを透過させる。第１のバンドパスフィルタ５１は、ＩＤカード１０に向く第１のレンズ５２の一方の面を覆う。
【００５６】
第１のセンサ５３は、可視波長帯域の光を検出する光学センサである。第１のセンサ５３は、第１のバンドパスフィルタ５１及び第１のレンズ５２を透過した緑色光Ｌ２を受ける（ステップＳ１１）。緑色光Ｌ２は可視波長帯域の光であるため、第１のセンサ５３に検出される。なお、第１のセンサ５３は、第１のバンドパスフィルタ５１を介さずに、緑色光Ｌ２を受けても良い。
【００５７】
第２の受光部４３は、第２のバンドパスフィルタ５５と、第２のレンズ５６と、第２のセンサ５７とを有する。第２のバンドパスフィルタ５５は、第２のフィルタの一例である。
【００５８】
第２のバンドパスフィルタ５５は、第２の蛍光材料２６の発光特性に合致した特性を有し、近赤外光Ｌ３のみを透過させる。言い換えると、第２のバンドパスフィルタ５５は、波長が１３００〜１５００ｎｍの帯域の光のみを透過させる。第２のバンドパスフィルタ５５は、ＩＤカード１０に向く第２のレンズ５６の一方の面を覆う。
【００５９】
第２のセンサ５７は、近赤外帯域の光を検出する光学センサである。第２のセンサ５７は、第２のバンドパスフィルタ５５及び第２のレンズ５６を透過した近赤外光Ｌ３を受ける（ステップＳ１２）。近赤外光Ｌ３は近赤外帯域の光であるため、第２のセンサ５７に検出される。なお、第２のセンサ５７は、第２のバンドパスフィルタ５５を介さずに、近赤外光Ｌ３を受けても良い。
【００６０】
処理部４４は、第１及び第２の受光部４２，４３に接続される。処理部４４は、第１の受光部４２が受けた緑色光Ｌ２から、第１の副情報３１を読み取る（ステップＳ１３）。言い換えると、処理部４４は、第１のセンサ５３が電気信号に変換した緑色光Ｌ２に基づき、図５に示すような第１の副情報３１の画像データを作成する。
【００６１】
さらに、処理部４４は、第２の受光部４３が受けた近赤外光Ｌ３から、第２の副情報３２を読み取る（ステップＳ１４）。言い換えると、処理部４４は、第２のセンサ５７が電気信号に変換した近赤外光Ｌ３に基づき、図６に示すような第２の副情報３２の画像データを作成する。近赤外光Ｌ３は本来肉眼で視認できないが、処理部４４は、第２の副情報３２を肉眼で視認可能な画像データを作成する。
【００６２】
図９は、合成情報６１及び真の情報６２を示す図である。処理部４４は、第１の副情報３１の画像データと、第２の副情報３２の画像データとを組み合わせ、合成情報６１の画像データを作成する（ステップＳ１５）。処理部４４は、例えば、第１及び第２の副情報３１，３２の画像データにそれぞれ埋め込まれた基準点を基準として、第１の副情報３１の画像データと、第２の副情報３２の画像データとを合成する。
【００６３】
図９に示すように、第１の副情報３１の画像データと、第２の副情報３２の画像データとが合成されることで、合成情報６１の画像データが形成される。すなわち、それぞれ単独では意味を成さない第１及び第２の副情報３１，３２は、組み合わされることで一つの合成情報６１を示す。
【００６４】
合成情報６１は、第１及び第２の副情報３１，３２と異なる意味を示す。複数の四角形の組み合わせである第１及び第２の副情報３１，３２は、組み合わされることでアルファベット「Ｔ」字状の合成情報６１を示す。
【００６５】
なお、第１及び第２の副情報３１，３２と、合成情報６１とは、これに限らない。例えば、第１及び第２の副情報３１，３２は、それぞれが単独で意味をなす情報であっても良い。合成情報６１は、文字や図形のような意味を成す情報でなくとも良い。
【００６６】
記憶部４５に、予め真の情報６２が記憶される。言い換えると、例えばＲＯＭのような記憶部４５に、真の情報６２の画像データが格納される。真の情報６２は、アルファベット「Ｔ」字状の図形を示す。すなわち、真の情報６２は、正しい合成情報６１と一致する情報である。
【００６７】
判定部４６は、処理部４４と、記憶部４５とに接続される。判定部４６は、処理部４４から合成情報６１の画像データを取得するとともに、記憶部４５から真の情報６２の画像データを取得する（ステップＳ１６）。判定部４６は、合成情報６１と真の情報６２とを比較することで、ＩＤカード１０の真偽を判定する（ステップＳ１７）。
【００６８】
例えば、合成情報６１と真の情報６２とが一致する割合が閾値以上である場合、判定部４６は、ＩＤカード１０が正規品であると判定する。一方、合成情報６１と真の情報６２とが一致する割合が閾値より低い場合、判定部４６は、ＩＤカード１０に偽造品の可能性があると判定する。判定部４６は、例えば、合成情報６１の輪郭と真の情報６２の輪郭とを比較し、合成情報６１と真の情報６２とが一致する割合を調べる。
【００６９】
表示部４７は、判定部４６に接続される。表示部４７は、例えば液晶ディスプレイのような画像を表示する装置である。表示部４７は、判定部４６から得た情報に基づき、ＩＤカード１０が正規品か否かを表示する。すなわち、判定部４６によってＩＤカード１０が正規品であると判定された場合、表示部４７は、ＩＤカード１０が正規品であると表示する（ステップＳ１８）。判定部４６によってＩＤカード１０に偽造品の可能性があると判定された場合、表示部４７は、ＩＤカード１０が偽造品である可能性を警告する（ステップＳ１９）。画像処理装置４０のオペレータは、当該警告を受け、ＩＤカード１０について別の装置によってさらに調べても良い。なお、判定部４６は、判定結果を表示部４７ではない他の機器に出力させても良い。例えば、判定部４６は、スピーカに判定結果を音声出力させても良い。
【００７０】
第１の実施の形態に係るＩＤカード１０及び画像処理装置４０において、ＩＤカード１０に励起光Ｌ１を当てることで、写真１４を透過した励起光Ｌ１が、第１の蛍光材料２５を励起する。励起によって第１の蛍光材料２５が発する緑色光Ｌ２は、緑色と補色関係にないシアンインク２１及びイエローインク２３を透過する。緑色光Ｌ２は可視領域にあるため、第１の副情報３１は、肉眼で容易に確認できる。このため、ＩＤカード１０に偽造防止技術が施されていることが、検査者にとって容易に判別できる。
【００７１】
第１の蛍光材料２５が、写真１４の下に配置される。これにより、写真１４の画質低下を抑制できる。さらに、第１の蛍光材料２５が蛍光発光する緑色光Ｌ２は、その上に存在する写真１４のシアンインク２１及びイエローインク２３を透過する。すなわち、緑色光Ｌ２は、マゼンタインク２２に吸収されることなく外部に出る。このため、第１の副情報３１を明瞭に確認しやすくなる。
【００７２】
第１の蛍光材料２５を励起させる励起光Ｌ１によって、第２の蛍光材料２６も励起される。第２の蛍光材料２６は、可視領域の緑色光Ｌ２を発する第１の蛍光材料２５と異なり、不可視領域の近赤外光Ｌ３を発する。このため、二つの副情報３１，３２によって偽造防止を図ることができ、ＩＤカード１０のセキュリティ強度（悪用耐性）を高めることができる。
【００７３】
それぞれ単独では意味をなさない情報を示す第１の副情報３１と第２の副情報３２とが、組み合わせられることで、第１及び第２の副情報３１，３２と異なる合成情報６１を示す。これにより、ＩＤカード１０のセキュリティ強度が向上する。
【００７４】
画像処理装置４０において、一つの投光部４１が発する励起光Ｌ１が、第１及び第２の蛍光材料２５，２６を励起する。そして、画像処理装置４０は、第１の蛍光材料２５が発する可視領域の緑色光Ｌ２から第１の副情報３１を読み取るとともに、第２の蛍光材料２６が発する不可視領域の近赤外光Ｌ３から第２の副情報３２を読み取り、第１及び第２の副情報３１，３２から合成情報６１を作る。画像処理装置４０は、合成情報６１に基づき、ＩＤカード１０の真偽判断を行う。このため、画像処理装置４０は、二種類の副情報３１，３２を有するセキュリティ強度が高いＩＤカード１０の真偽判定を比較的容易に行うことができる。
【００７５】
画像処理装置４０は、緑色光Ｌ２のみを透過させる第１のバンドパスフィルタ５１と、近赤外光Ｌ３のみを透過させる第２のバンドパスフィルタ５５とを有する。これにより、第１及び第２の受光部４２，４３がノイズを受けることを抑制でき、明るさレベルのＳ／Ｎ比（信号雑音比）が向上する。したがって、ＩＤカード１０の真偽判定の確実性が向上する。
【００７６】
以下に、第２の実施の形態について、図１０を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００７７】
図１０は、第２の実施の形態に係るＩＤカード１０及び画像処理装置４０の一部を概略的に示す図である。図１０に示すように、シアンインク２１及びマゼンタインク２２と、印刷面１２との間に、第３の蛍光材料７１が介在する。言い換えると、第３の蛍光材料７１を、シアンインク２１及びマゼンタインク２２が覆う。第３の蛍光材料７１は、透明又は半透明の物質である。なお、第３の蛍光材料７１は、有色の材料でも良い。
【００７８】
第３の蛍光材料７１は、第１及び第２の蛍光材料２５，２６と同様に、励起光Ｌ１を吸収して励起する。励起した第３の蛍光材料７１は、蛍光発光し、可視光である青色光Ｌ４を発する。青色光Ｌ４は、他色の可視蛍光とも称され得る。青色は、可視領域にあり、第５の色とも称され得る。
【００７９】
青色光Ｌ４は、４００〜４５０ｎｍの可視波長帯域の光である。図４に示すように、波長が４００〜４５０ｎｍの帯域において、シアンインク２１及びマゼンタインク２２の透過率は高い。一方、当該帯域において、イエローインク２３の透過率は低い。このため、青色光Ｌ４は、シアンインク２１及びマゼンタインク２２を透過するが、イエローインク２３に吸収される。すなわち、第５の色である青色は、第３の色であるイエローと補色関係にある。
【００８０】
図１０に示すように、シアンインク２１及びマゼンタインク２２が第３の蛍光材料７１の上に印刷される。一方、イエローインク２３は、第３の蛍光材料７１の上に存在しない。このため、第３の蛍光材料７１が発した青色光Ｌ４は、シアンインク２１及びマゼンタインク２２を透過して外部に出る。このように、第３の蛍光材料７１は、青色光Ｌ４が透過する色のインク（シアンインク２１及びマゼンタインク２２）と印刷面１２との間に介在する。言い換えると、第３の蛍光材料７１は、第３の蛍光材料７１が発する青色光Ｌ４と補色関係にない色のインク（シアンインク２１及びマゼンタインク２２）のみによって覆われる。
【００８１】
シアンインク２１のみ、又はマゼンタインク２２のみが、第３の蛍光材料７１の上に印刷されても良い。さらに、第３の蛍光材料７１の上にシアンインク２１及びマゼンタインク２２が存在しない領域があっても良い。すなわち、白色を示すドットに第３の蛍光材料７１が存在しても良い。
【００８２】
印刷面１２に印刷された第３の蛍光材料７１が形成する複数のドットが、第３の副情報７２を形成する。第３の副情報７２は、複数の四角形が並んだ図形である。第３の副情報７２は、単独では意味を成さない情報を示す。
【００８３】
第３の蛍光材料７１は、シアンインク２１及びマゼンタインク２２の下に印刷される。このため、第３の副情報７２は、写真１４の下に隠れており、例えば自然光の下では肉眼で視認されない。
【００８４】
第２の実施形態の画像処理装置４０の第１の受光部４２は、第３のバンドパスフィルタ７３と、交換部７４とを有する。第３のバンドパスフィルタ７３は、第３のフィルタの一例である。
【００８５】
第３のバンドパスフィルタ７３は、青色光Ｌ４のみを透過させる。言い換えると、第３のバンドパスフィルタ７３は、波長が４００〜４５０ｎｍの帯域の光のみを透過させる。
【００８６】
交換部７４は、第１のバンドパスフィルタ５１と第３のバンドパスフィルタ７３とを連結する。第１のバンドパスフィルタ５１と第３のバンドパスフィルタ７３は、交換部７４を中心に回転できる。第３のバンドパスフィルタ７３は、交換部７４を中心に回転することで、第１のバンドパスフィルタ５１の代わりに、ＩＤカード１０に向く第１のレンズ５２の一方の面を覆うことができる。
【００８７】
第１のセンサ５３が第１のバンドパスフィルタ５１を透過した緑色光Ｌ２を受けた後、第３のバンドパスフィルタ７３は、第１のバンドパスフィルタ５１と交換される。そして、第１のセンサ５３は、第３のバンドパスフィルタ７３及び第１のレンズ５２を透過した青色光Ｌ４を受ける。
【００８８】
処理部４４は、第１の受光部４２が受けた青色光Ｌ４から、第３の副情報７２を読み取る。さらに、処理部４４は、第１乃至第３の副情報３１，３２，７２の画像データを組み合わせ、合成情報６１の画像データを作成する。当該合成情報６１は、判定部４６によって取得され、真の情報６２と比較される。
【００８９】
第２の実施形態の画像処理装置４０によれば、第１の受光部４２は、第１のバンドパスフィルタ５１と第３のバンドパスフィルタ７３とを交換することで、緑色光Ｌ２又は青色光Ｌ４を選択的に受ける。これにより、一つの第１の受光部４２により複数種類の副情報３１，７２を読み取ることができ、画像処理装置４０の製造コストを低減できる。
【００９０】
以下に、第３の実施の形態について、図１１を参照して説明する。図１１は、第３の実施の形態に係るＩＤカード１０及び画像処理装置４０の一部を示す図である。第３の実施形態における画像処理装置４０は、第１の実施形態と同じである。
【００９１】
図１１に示すように、マゼンタインク２２は、印刷面１２と、第１及び第２の蛍光材料２５，２６との間に介在する。すなわち、マゼンタインク２２を第１及び第２の蛍光材料２５，２６が覆い、第１及び第２の蛍光材料２５，２６をシアンインク２１及びイエローインク２３の少なくとも一方が覆う。言い換えると、第１及び第２の蛍光材料２５，２６によって形成される第１及び第２の副情報３１，３２は、シアンインク２１、マゼンタインク２２、及びイエローインク２３によって形成される写真１４に隠れる。
【００９２】
第３の実施形態のＩＤカード１０によれば、第１の蛍光材料２５は、緑色光Ｌ２を吸収するマゼンタインク２２の上に設けられる。第１の蛍光材料２５は透明又は半透明であるため、第１の蛍光材料２５と印刷面１２との間にあるマゼンタインク２２の色は視認可能である。これにより、第１の副情報３１が形成される場所が制限されることを抑制できる。
【００９３】
以上説明した少なくとも一つの実施形態によれば、第１の蛍光材料が、当該第１の蛍光材料が発する第４の色の光を透過する少なくとも一つの第１乃至第３の色のインクと印刷面との間に介在する。これにより、主情報の画質低下を抑制できる。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１０…ＩＤカード、１１…基材、１２…印刷面、１４…写真、２１…シアンインク、２２…マゼンタインク、２３…イエローインク、２５…第１の蛍光材料、２６…第２の蛍光材料、３１…第１の副情報、３２…第２の副情報、４０…画像処理装置、４１…投光部、４２…第１の受光部、４３…第２の受光部、４４…処理部、４５…記憶部、４６…判定部、５１…第１のバンドパスフィルタ、５５…第２のバンドパスフィルタ、６１…合成情報、６２…真の情報、７１…第３の蛍光材料、７２…第３の副情報、７３…第３のバンドパスフィルタ。
【図１】
2015050605.tif 000003
【図２】
2015050605.tif 000004
【図３】
2015050605.tif 000005
【図４】
2015050605.tif 000006
【図５】
2015050605.tif 000007
【図６】
2015050605.tif 000008
【図７】
2015050605.tif 000009
【図８】
2015050605.tif 000010
【図９】
2015050605.tif 000011
【図１０】
2015050605.tif 000012
【図１１】
2015050605.tif 000013